(57)【特許請求の範囲】
【請求項１】
室外機側と接続する冷媒配管の他に空気ダクトも室内機から導出するセパレート型空気調和機の室内機において、
前記室内機の背面側に形成した配管収納部のコーナー部にて、前記配管を前記配管収納部の壁面に接触して固定し、その配管固定部の反対側に空気ダクトを保持する手段を有する配管押えを備えたことを特徴とする空気調和機。
【請求項２】
前記室内機を背面側より見て、前記配管収納部の奥まった側に前記配管を固定し、空気ダクトを手前に保持した請求項１に記載の空気調和機。
【請求項３】
前記室内機を背面側より見て、前記配管及び空気ダクトを下方に引き出す場合と、右方向に引き出す場合との両方に対応して前記配管押えを室内機に固定する手段を前記配管収納部のコーナー部に備えた請求項１に記載の空気調和機。
【請求項４】
前記配管押えの空気ダクト保持手段は空気ダクトを挟みつけ、或いは抱き抱える２つの可撓性アームから構成され、該可撓性アームのうち少なくとも１方は、その先端が締め付けとは逆方向に拡がっていることを特徴とする請求項１に記載の空気調和機。
【発明の詳細な説明】
【０００１】
【発明の属する技術分野】
本発明は、加湿機能を持たせるべく、室内空気より水分を取り出し、乾燥空気のみを室外に排出する機能を持った空気調和機、換気すべく室内空気を室外に排出する機能を持った空気調和機、室外空気を室内に吸気する機能を持った空気調和機等のように空気ダクトを室外機側と接続する冷媒配管同様、室内機から導出する空気調和機の背面側における配管収納部での冷媒配管及び空気ダクトの固定保持に関するものである。
【０００２】
【従来の技術】
まず、最初に加湿機能を持った空気調和機の加湿の原理について説明する。空気調和機の室内機２を設置した部屋は、窓とか出入り口とかがあり、隙間があるため、室内空気より水分を取り出し、乾燥空気のみを室外に排出すると、室外に排出した分と同量の空気が前述の隙間より室内に入ってくる。一方室内空気より取り出した水分を室内に吐き出すと、室内空気は加湿されることになる。
【０００３】
具体的にはゼオライト等の吸湿材を担持した回転ローターに空気を通過させると、吸湿材に水分がキャッチされ、乾燥空気となる。一方吸湿材が水分を含んだ回転ローターにヒーターで加熱した熱風を当てると、吸湿材の水分が熱風に取り出され、暖かい湿った空気となって出てくる。この乾燥空気を室外に排出し、湿った空気を室内に放出することで、室内を加湿することができる。
【０００４】
この空気調和機の室内機２には空気ダクト２６が必要である。また換気や吸気機能のついた空気調和機にしても同様に空気ダクト２６が必要である。なお、この従来技術の説明においては、発明の実施の形態で使用する符号をそのまま使用している。
【０００５】
また、室内機には室外機側と接続する冷媒配管（以下、配管と称する。）２１も導出されている。この配管２１と前述の空気ダクト２６は共に、室内機２が設置された壁面の貫通穴を通過して室外へ出て行く。銅パイプからなる配管２１とプラスチック等からなる空気ダクト２６とを空気調和機の室内機２の背面側における狭い配管収納部に収納しなければならない。
【０００６】
空気ダクト２６が射出成形品などの堅いものであれば、銅パイプの配管２１に押されて変形することもないが、堅い空気ダクト２６は曲げたり、狭い配管収納部に収納したり、壁面の貫通穴を通過させるときなどの作業ができない。そこで、或る程度の柔軟性が必要となる。実際にはＰＰ（ポリプロピレン）樹脂を使用してブロー成形で製造した蛇腹ホースとしている。その肉厚は０．５ミリメートル程度である。これだと曲げることも可能で、蛇腹のため押されても、それ程変形することもない。
【０００７】
また、配管２１、空気ダクト２６の他に、室内機２からドレン水を排出するためのドレンホース２３、室内機２と室外機とを接続する電力線、信号線などもある。そして室内機２を設置する際に、これらが、配管収納部からはみ出すようなことがあれば、室内機２が取付壁面より浮いてしまい見苦しいものになることがあった。
【０００８】
このため図７、図８のように、室内機２の背面側の下部に水平方向に設けられた配管収納部にて据付け具４が使用され、配管２１等を固定している。図７はこの据付け具４を室内機２の背面側の下部に水平方向に設けられた配管収納部に取り付け、配管２１等の浮きを防止している状況を説明する斜視図である。図８は据付け具４部分の断面図である。この据付け具４は特開平９−１１９６６８号公報に開示されている。このように、室内機２の背面側の下部に水平方向に設けられた配管収納部にて据付け具４で配管２１等の浮きを押さえることはできる。
【０００９】
しかし、図３に２７で示す配管収納部のコーナー部における配管２１等の浮きを押さえるのが難しい。図３は室内機２の背面図であり、図３にて斜線で表した部分は室内機２と取り付け壁面との間には隙間が無く、この斜線以外の部分を配管収納部と称し得る。
【００１０】
配管２１、ドレンホース２３、室内外接続電線のみならばともかく、空気ダクト２６があるため、これらが浮き上がらないように、かつ空気ダクト２６が押されて変形しないように作業するのは大変である。また、このコーナー部２７では配管２１、空気ダクト２６を下方に引き出す「下引き出し」、室内機２の本体を前面からみて左方向に引き出す「左引き出し」の場合で配管２１等の固定位置を変える必要もある。
【００１１】
【発明が解決しようとする課題】
本発明は空気調和機背面側の狭い配管収納部の特にコーナー部において銅パイプの冷媒配管と柔軟な空気ダクトとを浮き上がることの無いように収納し、且つ室内機取り付け時の作業を容易にしようとするものである。つまり、柔軟な空気ダクトを使用して取り付け時の作業を楽にしながら、、空気ダクトが銅パイプの冷媒配管等に押されて変形することのないようにしようとするものである。
【００１２】
【課題を解決するための手段】
本発明の空気調和機は上記課題を解決するために、室内機の背面側に形成した配管収納部のコーナー部にて、前記配管を前記配管収納部の壁面に接触して固定し、その配管固定部の反対側に空気ダクトを保持する手段を有する配管押えを備えたものである。
【００１３】
また、室内機を背面側より見て、前記配管収納部の奥まった側に配管を固定し、空気ダクトを手前に保持するものである。
【００１４】
また、室内機を背面側より見て、前記配管及び空気ダクトを下方に引き出す場合と、右方向に引き出す場合との両方に対応して前記配管押えを室内機に固定する手段を前記配管収納部のコーナー部に備えたものである。
【００１５】
また、配管押えの空気ダクト保持部分は空気ダクトを挟みつけ、或いは抱き抱える２つの可撓性アームから構成され、該可撓性アームのうち少なくとも１方は、その先端が締め付けとは逆方向に拡がっているものである。
【００１６】
本発明の空気調和機によれば、配管収納部のコーナー部にて、配管を配管収納部の壁面に接触して固定し、空気ダクトを保持する配管押えを備えたので、配管が空気ダクト側に力を及ぼすことはない。したがって、柔軟なパイプの空気ダクトでも押されて変形する心配がなくなった。さらに、この空気ダクトも配管押えに保持されるので、狭い配管収納部のコーナー部に整理して収納され浮き上がることがなくなった。
【００１７】
また、室内機を背面側より見て、配管収納部の奥まった側に堅い配管を固定するので、空気ダクトを保持する手前側のスペースが有効に使用できる。
【００１８】
また、室内機を背面側より見て、前記配管及び空気ダクトを配管収納部のコーナー部にて、下方に引き出す場合と、右方向に引き出す場合との両方に対応して前記配管押えを室内機に固定できる。
【００１９】
また、空気ダクトを配管押えの２つの可撓性アームに保持させる際、まず空気ダクトの一辺側を一方の可撓性アームに差し込み、空気ダクトの他辺側を他方の可撓性アームに差し込むとき、その先端が締め付けとは逆方向に拡がっているから簡単に差し込み得る。
【００２０】
【発明の実施の形態】
本発明に係る配管押えを備えた空気調和機の室内機の実施の形態について、以下に説明する。なお、本発明は下記の実施の形態に限定されるものではない。
【００２１】
図１は本発明実施の形態に係る配管押え１の外観斜視図である。図２は図１に示す配管押え１が配管２１を固定し、空気ダクト２６を可撓性アーム１４で保持した部分の断面図である。配管通過部１１と空気ダクト通過部１２は同一面ではなく、角度がついているが、分かりやすくするため、それぞれの直角面で断面している。また、３つの締結部材用穴１３も同一線上に並んでいるわけではないがそれぞれの穴部で断面している。
【００２２】
図３は室内機２の背面図であり、図４は本発明の要部となる図３の配管収納部のコーナー部２７にて、室内機２を背面側より見て、配管２１及び空気ダクト２６を、下方に引き出す場合と、右方向に引き出す場合との両方に対応して配管押え１を室内機２に固定した状況を示している。図５、図６にそれぞれ「下引き出し」、「左引き出し」の場合の配管の固定、空気ダクトの保持の様子を、室内機２を背面側より見て記載している。
【００２３】
なお、配管２１、ドレンホース、接続電線等を室内機表面より見て、下方、左方向に引き出すのをそれぞれ「下引き出し」、「左引き出し」と通常称されているが、本明細書の記載においては、室内機２を背面側より見て説明しているため、「右方向に引き出す場合」としているが、これは通常の「左引き出し」の場合であることに注意を要する。
【００２４】
配管２１は配管通過穴２２より、ドレンホース２３はドレンホース通過穴２４、２５のいずれかより、空気ダクト２６は空気ダクト接続口２８より、それぞれ図２に示す室内機２の背面位置から導出されている。図３にて斜線で表した部分は室内機２と取り付け壁面との間には隙間が無く、この斜線以外の部分を配管収納部と称し得る。
【００２５】
図４において、配管押え１を１Ｄの位置にネジ３で固定するのは「下引き出し」の場合であり、１Ｌの位置にネジ３で固定するのは「左引き出し」（室内機２を背面側より見て右方向に引き出し）の場合である。ここで配管押え１の締結部材（ネジ等）のために３つの穴を用意しておき、１Ｄ、１Ｌの位置で使い分けているのは、例えば１Ｌの位置では、１Ｄの位置で使用したネジ穴位置が図３のドレンホース通過穴２５の位置にかかり、ボスを設けることができないためである。
【００２６】
図１にて、配管押え１の締結部材用穴１３にネジ３にて固定すると、配管通過部１１に配管２１が固定され、空気ダクト通過部１２に空気ダクト２６が保持される。配管２１は配管通過部１１にて配管収納部の壁面に接触して固定されるため、その動きは規制される。従来の据付け具４が図７、図８にて示す様に配管収納部にて使用され、配管２１等を押圧固定しているのに比べ、本発明の配管押え１の場合は配管通過部１１の近傍に隙間を創出するので、例えば接続電線等を通過させ得る。
【００２７】
さらに、２つの可撓性アーム１４にて空気ダクト２６を軽く挟みつけ、或いは抱き抱えるものである。２つの可撓性アーム１４のうち少なくとも１方は、その先端が締め付けとは逆方向に拡がっている部分１５を備えている。
【００２８】
空気ダクト２６を配管押え１の２つの可撓性アーム１４に保持させる際、まず空気ダクト２６の一辺側を一方の可撓性アーム１４に差し込み、空気ダクト２６の他辺側を他方の可撓性アーム１４に差し込むとき、その先端が締め付けとは逆方向に拡がっている部分１５に掛かる。図２で空気ダクト２６を２点鎖線２６’で示した位置である。そこで空気ダクトをそのまま押し込むと、可撓性アーム１４は幾分外側に拡がるため、簡単に差し込み得る。
【００２９】
図５、図６にそれぞれ「下引き出し」、「左引き出し」の場合の配管２１の固定、空気ダクト２６の保持の様子を記載している。この配管収納部のコーナー部２７で、配管２１を配管収納部の壁面に接触して固定し、空気ダクト２６を保持する配管押え１を備えたので、配管２１が空気ダクト２６側に力を及ぼすことがなく、柔軟なパイプの空気ダクト２６でも押されて変形する心配がなくなった。さらに、この空気ダクト２６も配管押え１に保持されるので、狭い配管収納部のコーナー部２７に整理して収納され浮き上がることがなくなった。
【００３０】
また、室内機２を背面側より見て、配管収納部の奥まった側に堅い配管２１を固定するので、空気ダクト２６を保持する手前側のスペースが有効に使用できる。
【００３１】
なお図３にて、室内機２の背面側の下部に水平方向に設けられた配管収納部にて、従来と同様の据付け具４で配管２１等を固定するため、引っかけ部５を設けている。
【００３２】
【発明の効果】
本発明に係る空気調和機によれば、配管収納部のコーナー部にて、配管を配管収納部の壁面に接触して固定し、空気ダクトを保持する配管押えを備えたので、配管が空気ダクト側に力を及ぼすことはない。したがって、柔軟なパイプの空気ダクトでも押されて変形する心配がなくなった。さらに、この空気ダクトも配管押えに保持されるので、狭い配管収納部のコーナー部に整理して収納され浮き上がることがなくなった。
【００３３】
また、室内機を背面側より見て、配管収納部の奥まった側に堅い配管を固定するので、空気ダクトを保持する手前側のスペースが有効に使用できる。
【００３４】
また、室内機を背面側より見て、前記配管及び空気ダクトを配管収納部のコーナー部にて、下方に引き出す場合と、右方向に引き出す場合との両方に対応して前記配管押えを室内機に固定できる。
【００３５】
また、空気ダクトを配管押えの２つの可撓性アームに保持させる際、まず空気ダクトの一辺側を一方の可撓性アームに差し込み、空気ダクトの他辺側を他方の可撓性アームに差し込むとき、その先端が締め付けとは逆方向に拡がっているから簡単に差し込み得る。
【図面の簡単な説明】
【図１】本発明実施の形態に係る配管押えの外観斜視図である。
【図２】図１の配管押えが配管を固定し、空気ダクトを可撓性アームで保持した部分の断面図である。
【図３】室内機の背面図である。
【図４】図３の配管収納部のコーナー部にて、「下引き出し」、「左引き出し」の場合の配管押えを室内機に固定した状況を示す室内機の背面図である。
【図５】「下引き出し」の場合の配管の固定、空気ダクトの保持の様子を示す室内機の背面図である。
【図６】「左引き出し」の場合の配管の固定、空気ダクトの保持の様子を示す室内機の背面図である。
【図７】従来の配管、接続電線、ドレンホースを固定する据付け具を備えた室内機を背面から見た斜視図である。
【図８】図７の据付け具取り付け部分の断面図である。
【符号の説明】
１    配管押え
２    室内機
４    据付け具
５    引っかけ部
１１  配管通過部
１２  空気ダクト通過部
１３  締結部材用穴
１４  可撓性アーム
１５  （可撓性アームの）逆方向に拡がっている部分
２１  （冷媒）配管
２２  配管通過穴
２３  ドレンホース
２４，２５  ドレンホース通過穴
２６  空気ダクト
２７  配管収納部のコーナー部
２８  空気ダクト接続口
【図１】
0003615396.tif 000002
【図２】
0003615396.tif 000003
【図３】
0003615396.tif 000004
【図４】
0003615396.tif 000005
【図５】
0003615396.tif 000006
【図６】
0003615396.tif 000007
【図７】
0003615396.tif 000008
【図８】
0003615396.tif 000009